(57)【特許請求の範囲】
【請求項１】
地面に設置され、側面部および天井部により所定の空間を取り囲むように形成されるフレームと、上記側面部に張設される側面シートと、上記天井部に張設される天井シートとを備え、上記空間が喫煙スペースとして使用される喫煙ブースであって、
上記フレームの側面部は、垂直方向の回動軸周りに相互折り畳み回動可能に連結された複数の側面フレームによって構成されており、
上記天井部は、上記複数の側面フレームのうち一方端に位置する側面フレームに一端部が、当該側面フレームに隣接する側面フレームに他端部が、それぞれ着脱可能に取り付けられる第１の天井ビームと、上記複数の側面フレームのうち他方端に位置する側面フレームに一端部が、当該側面フレームに隣接する側面フレームに他端部が、それぞれ着脱可能に取り付けられる第２の天井ビームと、を含んで構成されていることを特徴とする、喫煙ブース。
【請求項２】
上記側面シートの下縁部と地面との間には、所定の隙間が設けられている、請求項１に記載の喫煙ブース。
【請求項３】
環状に設置された上記複数の側面フレームの両端部の間隔を所定の間隔に規定することにより、出入り口が形成されている、請求項１または２に記載の喫煙ブース。
【請求項４】
上記フレームの上記側面部の下端には、重しベースが取付けられている、請求項１ないし３のいずれかに記載の喫煙ブース。
【請求項５】
上記側面シートおよび上記天井シートは、透明または半透明である、請求項１ないし４のいずれかに記載の喫煙ブース。
【請求項６】
上記側面シートは透明または半透明であり、上記天井シートは不透明である、請求項１ないし４のいずれかに記載の喫煙ブース。
【請求項７】
上記側面シートおよび上記天井シートは、上記フレームに対して着脱可能である、請求項１ないし６のいずれかに記載の喫煙ブース。
【請求項８】
上記側面シートは、上記複数の側面フレームに対応して分離された複数の側面シート片からなる、請求項１ないし７のいずれかに記載の喫煙ブース。
【請求項９】
上記フレームの側面部には、上記空間内に位置する灰皿が支持されている、請求項１ないし８のいずれかに記載の喫煙ブース。
【発明の詳細な説明】
【技術分野】
【０００１】
本発明は、主として屋外用の喫煙スペースとして利用するのに好適な喫煙ブースに関する。
【背景技術】
【０００２】
従来、ビルや店舗などの建物内においては、分煙の必要性から喫煙スペースが定められている。また、分煙をより徹底させる要請から、間仕切り等によって喫煙所をその周囲と区画した喫煙ブースを設置し、換気ファン等によって当該ブース内の空気を強制的に吸引して屋外に排出する構成も一般に採用されている（たとえば、特許文献１を参照）。
【０００３】
一方、屋外における喫煙スペースとしては、たとえば指定場所に大型の灰皿を設置しただけのものが多い。これは、屋外においては外気にさらされているので分煙の必要性が希薄であることや、簡単に設置ないし移動させられることなどによるものと考えられる。
【０００４】
しかしながら、上記のような灰皿を設置しただけの屋外の喫煙スペースでは、たとえば風が強い場合には、タバコの煙や吸殻が散乱して周囲に何らかの迷惑をかける虞がある。また、たとえば雨天の場合には、喫煙者は傘をさしながらタバコを吸わなければならず、利用しにくい。このように、上記従来の屋外用喫煙スペースにおいては、気象状態によって上記した不都合が生じていた。
【０００５】
【特許文献１】特開２００１−１５２６８０号公報
【発明の開示】
【発明が解決しようとする課題】
【０００６】
本発明は、上記した事情のもとで考え出されたものであって、屋外の喫煙スペースにおける上記した不都合を解消あるいは少なくとも低減しうる喫煙ブースを提供することを課題としている。
【課題を解決するための手段】
【０００７】
上記課題を解決するため、本発明では、次の技術的手段を講じている。
【０００８】
本発明によって提供される喫煙ブースは、地面に設置され、側面部および天井部により所定の空間を取り囲むように形成されるフレームと、上記側面部に張設される側面シートと、上記天井部に張設される天井シートとを備え、上記空間が喫煙スペースとして使用される喫煙ブースであって、上記フレームの側面部は、垂直方向の回動軸周りに相互折り畳み回動可能に連結された複数の側面フレームによって構成されており、上記天井部は、上記複数の側面フレームのうち一方端に位置する側面フレームに一端部が、当該側面フレームに隣接する側面フレームに他端部が、それぞれ着脱可能に取り付けられる第１の天井ビームと、上記複数の側面フレームのうち他方端に位置する側面フレームに一端部が、当該側面フレームに隣接する側面フレームに他端部が、それぞれ着脱可能に取り付けられる第２の天井ビームと、を含んで構成されていることを特徴としている。
【０００９】
好ましい実施の形態においては、上記側面シートの下縁部と地面との間には、所定の隙間が設けられている。
【００１１】
好ましい実施の形態においては、環状に設置された上記複数の側面フレームの両端部の間隔を所定の間隔に規定することにより、出入り口が形成されている。
【００１２】
好ましい実施の形態においては、上記フレームの上記側面部の下端には、重しベースが取付けられている。
【００１３】
好ましい一つの実施の形態においては、上記側面シートおよび上記天井シートは、透明または半透明である。
【００１４】
好ましい他の実施の形態においては、上記側面シートは透明または半透明であり、上記天井シートは不透明である。
【００１５】
好ましい実施の形態においては、上記側面シートおよび上記天井シートは、上記フレームに対して着脱可能である。
【００１６】
好ましい実施の形態においては、上記側面シートは、上記複数の側面フレームに対応して分離された複数の側面シート片からなる。
【００１７】
好ましい実施の形態においては、上記フレームの側面部には、上記空間内に位置する灰皿が支持されている。
【発明を実施するための最良の形態】
【００１８】
以下、本発明の好ましい実施の形態について、図面を参照して具体的に説明する。
【００１９】
図１〜図３は、本発明に係る喫煙ブースの一例を示している。喫煙ブースＡ１は、たとえば屋外の地面ＧＲに設置して使用されるものであり、フレーム１と、側面シート２と、天井シート３と、重しベース４と、灰皿５とを備えている。
【００２０】
フレーム１は、たとえばアルマイト処理済のアルミ製のパイプ材等が連結されて構成されたものであり、喫煙ブースＡ１の骨格をなしている。図１〜図４に表れているように、フレーム１は、複数の側面フレーム１１，１２，１３と、これら側面フレーム１１〜１３の隣接相互間に介在させられた支柱フレーム１４，１５と、正面ビーム１８と、天井ビーム１９とを備えている。
【００２１】
側面フレーム１１は、たとえば枠状に組まれた上部パイプ１１ａ、下部パイプ１１ｂ、縦パイプ１１ｃ，１１ｄ、および上記枠状部分の対角近傍をつなぐ斜パイプ１１ｅ，１１ｆ，１１ｇを備え、これらのパイプが溶接等の適宜手段によって一体的に連結されることにより、所定の剛性を有するトラス構成とされている。上部パイプ１１ａ、下部パイプ１１ｂ、および斜パイプ１１ｅ，１１ｆ，１１ｇは、外方に突出するように湾曲されており、側面フレーム１１の中央に相当する斜パイプ１１ｅ，１１ｆ，１１ｇの交差部が最も外方に突出させられている。側面フレーム１２および側面フレーム１３も上記側面フレーム１１と同様のトラス構成とされている。すなわち、側面フレーム１２は、上部パイプ１２ａ、下部パイプ１２ｂ、縦パイプ１２ｃ，１２ｄ、および斜パイプ１２ｅ，１２ｆ，１２ｇを備え、また、側面フレーム１３は、上部パイプ１３ａ、下部パイプ１３ｂ、縦パイプ１３ｃ，１３ｄ、および斜パイプ１３ｅ，１３ｆ，１３ｇを備えている。なお、側面フレーム１１の縦パイプ１１ｃ、および側面フレーム１３の縦パイプ１３ｃは、略楕円と略半円とが結合した断面形状とされており（図６参照）、たとえば押出し成形によって一体形成される。縦パイプ１１ｃ，１３ｃの下端には、キャスター１１ｈ，１３ｈが取り付けられている（図４参照）。
【００２２】
支柱フレーム１４は、図４によく表れているように、垂直方向に延びる支柱部１４ａと、その下端に設けられ、水平方向に延びるベース部１４ｂとを備え、ベース部１４ｂの両端部近傍にはキャスター１４ｃが取り付けられている。支柱フレーム１５も支柱フレーム１４と同様の構成とされ、支柱部１５ａ、ベース部１５ｂ、およびキャスター１５ｃを備えている。
【００２３】
側面フレーム１１と、支柱フレーム１４とは、垂直方向に所定の間隔を隔てて設けられた複数のヒンジ部１６によって連結されている。ヒンジ部１６は、図５に表れているように、たとえば側面フレーム１１の縦パイプ１１ｄに設けられたアングル１１ｋ、および支柱フレーム１４の支柱部１４ａのそれぞれに対して図示しないボルト等によって固設された一対のヒンジ片１６ａ，１６ｂを含んで構成され、連結軸部１６ｃ（回動軸Ｏ１）周りに回動可能となっている。これにより、側面フレーム１１と支柱フレーム１４とは、垂直方向の回動軸Ｏ１周りに回動可能となっている。また、支柱フレーム１４と側面フレーム１２とは、上記と同様の構成を有する複数のヒンジ部１６によって連結されており、垂直方向の回動軸Ｏ２周りに回動可能となっている。
【００２４】
側面フレーム１２および支柱フレーム１５、ならびに、支柱フレーム１５および側面フレーム１３についても、図４に表れているように、上記と同様の複数のヒンジ部１６を介して回動軸Ｏ３，Ｏ４周りに回動可能とされている。
【００２５】
このような構成から理解できるように、側面フレーム１１〜１３は、隣接相互間で支柱フレーム１４，１５を介して回動可能に連結されており、折り畳みないし展開することが可能となっている。図１〜４は、側面フレーム１１〜１３が所定の展開された状態を表しており、展開時には、側面フレーム１１〜１３は、平面視においてほぼ環状をなすように設置されている。また、展開時には、図５に表れているように、ヒンジ部１６のヒンジ片１６ａ，１６ｂに設けられた係止突起１６ｄどうしが当接し、ヒンジ部１６がさらに展開側へ回動することが規制される。
【００２６】
図４または図６に表れているように、側面フレーム１１の縦パイプ１１ｃの上端および側面フレーム１３の縦パイプ１３ｃの上端には、固定金具１７が取り付けられている。固定金具１７には、差込孔１７ａおよび差込孔１７ｂが設けられており、両固定金具１７の差込孔１７ａには、正面ビーム１８の両端部１８ａが挿入されている。これにより、環状をなす側面フレーム１１〜１３の両端部に位置する縦パイプ１１ｃ，１３ｃの間隔が規定されており、これら縦パイプ１１ｃ，１３ｃ間は、喫煙者が喫煙ブースＡ１内へ出入りするための出入り口Ｄとなっている。
【００２７】
固定金具１７の差込孔１７ｂには、天井ビーム１９の一端部１９ａが挿入されている。なお、天井ビーム１９の他端部は、側面フレーム１２の上部パイプ１２ａによって支持されている。かかる構成により、フレーム１は、組み付けられ、かつ展開された状態において、喫煙スペースとして使用されるべき所定の空間を取り囲むように形成されている。この状態では、側面フレーム１１〜１３および支柱フレーム１４，１５によって上記空間の側面部を構成するとともに、各側面フレーム１１〜１３の上部パイプ１１ａ，１２ａ，１３ａ、正面ビーム１８、および一対の天井ビーム１９によって上記空間の天井部を構成している。
【００２８】
本実施形態では、灰皿５は、支持フレーム１４，１５のそれぞれに１つずつ支持されている。正面視右側の灰皿５は、たとえば図５に表れているように、ステー５１を介して支持フレーム１４の支柱部１４ａに支持されており、喫煙スペースとして使用される空間内に位置している。正面視左側の灰皿５についても同様にして上記空間内に位置している。
【００２９】
側面シート２は、図１または図２に表れているように、上記空間の側面部を覆うように分離して張設された複数の側面シート片２１，２２，２３を備えて構成されている。各側面シート片２１〜２３は、透明または半透明の膜材料であり、たとえばポリエステル繊維織物にポリ塩化ビニルを被覆して構成されたものである。また、好ましくは、側面シート片２１〜２３の表面には、酸化チタンなどの光触媒作用を有する材料からなるコーティングが施されている。側面シート片２１は、略三角形とされており、側面フレーム１１の上部パイプ１１ａ、斜パイプ１１ｆ，１１ｇ、縦パイプ１１ｄによって包囲された略三角形部分を覆うように設けられている。図７に表れているように、側面シート片２１の周縁部の適所には、たとえば巻付けバンド２４が縫合されている。巻付けバンド２４は、上部パイプ１１ａ、斜パイプ１１ｆ，１１ｇ、縦パイプ１１ｄに対し、両端部が重ね合わされた状態で係止可能に巻き付けられている。なお、図７以外の図面においては、巻付けバンド２４の記載は省略している。このような構成によって、側面シート片２１は、側面フレーム１１に対して着脱可能に取り付けられている。
【００３０】
側面シート片２２は、側面フレーム１２の上部パイプ１２ａ、下部パイプ１２ｂ、縦パイプ１２ｃ，１２ｄによって包囲された略矩形部分を覆うように設けられている。側面シート２２の周縁部には、側面シート片２１の場合と同様に上記巻付けバンドが縫合されており、当該巻付けバンドが上部パイプ１２ａ、下部パイプ１２ｂ、縦パイプ１２ｃ，１２ｄに巻き付けられている。また、側面シート片２２の上位部には、複数の通気部２２ａが形成されている。通気部２２ａは、たとえばメッシュシートからなり、側面シート２２が部分的に切除され、当該切除部を覆うように縫合されている。側面シート片２３は、側面フレーム１３の上部パイプ１３ａ、斜パイプ１３ｆ，１３ｇ、縦パイプ１３ｄによって包囲された略三角形部分を覆うように設けられている。側面シート片２３の周縁部には、上記した側面シート片２１の場合と同様に上記巻付けバンドが縫合されており、当該巻付けバンドが上部パイプ１３ａ、斜パイプ１３ｆ，１３ｇ、縦パイプ１３ｄに巻き付けられている。このようにして、側面シート片２２，２３は、それぞれ、側面フレーム１２，１３に対して着脱可能に取り付けられている。
【００３１】
天井シート３は、フレーム１によって包囲された空間の天井部のほぼ全体を覆うように張設されている。この天井シート３は、たとえばポリ塩化ビニルなどの合成樹脂からなる不透明の膜材料であり、紫外線遮断効果を有するものである。図８に表れているように、天井シート３の周縁部の適所には、巻付けバンド３１が縫合されている。巻付けバンド３１は、上部パイプ１１ａ，１２ａ，１３ａ、正面ビーム１８、天井ビーム１９に対し、両端部が重ね合わされた状態で係止可能に巻き付けられている。なお、巻付けバンド３１のうち、上部パイプ１１ａ，１２ａ，１３ａに対して巻き付けられるものについては、側面シート片２１〜２３に設けられた巻付けバンド２４と干渉しないように当該巻付けバンド２４と交互に位置して設けられている。このような構成によって、天井シート３は、フレーム１の天井部に対して着脱可能に取り付けられている。
【００３２】
重しベース４は、図１〜図３に表れているように、側面フレーム１１〜１３のそれぞれに対応して配置されたベース片４１，４２，４３から構成されている。各ベース片４１，４２，４３は、たとえば鋳鉄製とされており、適所に中空部が設けられている。図９に表れているように、ベース片４１の両端部近傍の中空部には、それぞれキャスター１４ｃ，１１ｈが収容されている。また、ベース片４１と、支柱フレーム１４のベース部１４ｂとは、図示しないボルト等によって締結されている。これと同様にして、ベース片４２の中空部にはキャスター１４ｃ，１５ｃが収容され、ベース片４２は、ベース部１４ｂおよび支柱フレーム１５のベース部１５に締結されている。また、ベース片４３の中空部にはキャスター１５ｃ，１３ｈが収容され、ベース片４３は、ベース部１５に締結されている。
【００３３】
次に、上記した喫煙ブースＡ１の作用について説明する。
【００３４】
喫煙ブースＡ１は、たとえばイベント会場、競技場、あるいは開放型テーマパークなどの屋外の施設等に設置されて使用される。喫煙者は、喫煙ブースＡ１内に形成された喫煙スペースにおいて喫煙することができる。ここで、喫煙ブースＡ１においては、フレーム１の側面部および天井部が側面シート２および天井シート３によって覆われた構成であるため、喫煙者は風雨などの影響を受けることなく喫煙することができる。また、天井シート３は不透明な膜材料で構成されているため、晴天時においても紫外線を効率よく遮断することができる。その一方、側面シート２（側面シート片２１〜２３）は透明または半透明な膜材料で構成されているため、喫煙者は、喫煙ブースＡ１の内部から外部の状況を側面シート２を通じて見ることができ、閉塞感なく快適に喫煙することができる。
【００３５】
喫煙ブースＡ１においては、側面フレーム１１〜１３を構成する上部パイプ１１ａ，１２ａ，１３ａ、下部パイプ１１ｂ，１２ｂ，１３ｂ、および斜パイプ１１ｅ〜１１ｇ，１２ｅ〜１２ｇ，１３ｅ〜１３ｇが外方に突出するように湾曲されているため、喫煙ブースＡ１内の喫煙スペースを広く確保することができる。加えて、各側面フレーム１１〜１３の中央に相当する部位が最も外方に突出しているため、側面フレーム１１〜１３に張設された側面シート片２１〜２３は、いずれも全体にわたって適度な張力が付与されており、風が吹いても形態が崩れ難い。
【００３６】
喫煙ブースＡ１においては、側面シート２（側面シート片２２）の上位部に通気部２２ａが設けられているため、喫煙ブースＡ１内のタバコの煙は当該通気部２２ａを通じて効率よく上方に排出される。したがって、喫煙ブースＡ１の周囲にタバコの煙等が拡散するといった不都合を抑制することができる。その一方、側面シート２（側面シート片２１〜２３）の下縁部に相当する側面フレーム１１〜１３の斜パイプ１１ｆ，１１ｇ、下部パイプ１２ｂ、斜パイプ１３ｇ，１３ｆと、地面ＧＲとの間には隙間が設けられている。このため、外部の新鮮な空気が当該隙間を通じて喫煙ブースＡ１の内部へ導入される。かかる構成によって、自然換気が円滑に行われる。加えて、本実施形態では、上記隙間は喫煙ブースＡ１の中央部を挟んで通気部２２ａに対向する位置においてその面積が大きくなるように設けられているので、喫煙ブースＡ１内では、上記隙間から通気部２２ａへ向けて空気の流れが形成されやすく、自然換気がより効率よくなされることを期待することができる。
【００３７】
本実施形態では、重しベース４（ベース片４１〜４３）がフレーム１の側面部の下端（支柱フレーム１４，１５のベース部１４ｂ，１５ｂ）に適宜取り付けられている。このため、たとえば強風下でもフレーム１が移動、あるいは転倒するといった不都合を抑制することが出来る。
【００３８】
喫煙ブースＡ１においては、フレーム１の側面部が折り畳み可能となっている。具体的には、重しベース４（各ベース片４１〜４３）、天井シート３、および正面ビーム１８を取り外せば、フレーム１の側面部を構成する側面フレーム１１，１２，１３を相互に折り畳むことができ、フレーム１の占有空間が小さくなる。ここで、側面シート２は、側面フレーム１１〜１３に対応するように分離した側面シート片２１〜２３によって構成されているため、側面フレーム１１〜１３を折り畳む際には側面シート片２１〜２３を取り外す必要がない。このような構成によれば、喫煙ブースＡ１を移設する場合でも取り扱い易く、また、保管する際には省スペース化に寄与する。
【００３９】
図１０および図１１は、本発明に係る喫煙ブースの他の例を示す。なお、図１０以降の図面においては、上記実施形態と同一または類似の要素には、上記実施形態と同一の符号を付しており、適宜説明を省略する。
【００４０】
図１０および図１１に示す喫煙ブースＡ２においては、側面シート片２１，２３が略矩形状とされている。側面シート片２１は、側面フレーム１１の上部パイプ１１ａ，下部パイプ１１ｂ，縦パイプ１１ｃ，１１ｄによって包囲された略矩形状部分を包囲するように設けられ、側面シート片２３は、側面フレーム１３の上部パイプ１３ａ，下部パイプ１３ｂ，縦パイプ１３ｃ，１３ｄによって包囲された略矩形状部分を包囲するように設けられている。すなわち、喫煙ブースＡ２では、上記実施形態の喫煙ブースＡ１に比べて、フレーム１の側面部のうち側面シート２によって覆われる範囲が大きくされている。このような構成の喫煙ブースＡ２によれば、内部の喫煙スペースは、風雨などの気象状態の変化に対し、より一層影響を受けないものとなる。
【００４１】
以上、本発明の具体的な実施形態を説明したが、本発明の範囲は上記した実施形態に限定されるものではなく、発明の思想から逸脱しない範囲内で種々な変更が可能である。本発明に係る喫煙ブースの各部の具体的な形状や材質なども、上記実施形態に限定されるものではない。
【００４２】
たとえば、天井シート３としては、不透明のものに限定されず、透明または半透明のものを用いてもよい。また、フレーム１の適所に照明装置を取り付ければ、夜間においても使用可能となる。
【図面の簡単な説明】
【００４３】
【図１】本発明に係る喫煙ブースの一例を示す正面図である。
【図２】図１に示す喫煙ブースの右側面図である。
【図３】図１に示す喫煙ブースの平面図である。
【図４】フレームの構成を示す正面図である。
【図５】フレームの部分拡大断面図である。
【図６】フレームの部分拡大平面図である。
【図７】図２のＶＩＩ−ＶＩＩ線に沿う部分拡大断面図である。
【図８】図２のＶＩＩＩ−ＶＩＩＩ線に沿う部分拡大断面図である。
【図９】図３のＩＸ−ＩＸ線に沿う部分断面図である。
【図１０】本発明に係る喫煙ブースの他の例を示す正面図である。
【図１１】図１０に示す喫煙ブースの右側面図である。
【符号の説明】
【００４４】
Ａ１，Ａ２    喫煙ブース
Ｄ      出入り口
ＧＲ    地面
Ｏ１，Ｏ２，Ｏ３，Ｏ４    回動軸
１      フレーム
２      側面シート
３      天井シート
４      重しベース
５      灰皿
１１，１２，１３    側面フレーム
２１，２２，２３    側面シート片
２２ａ    通気部
【図１】
0005317446.tif 000002
【図２】
0005317446.tif 000003
【図３】
0005317446.tif 000004
【図４】
0005317446.tif 000005
【図５】
0005317446.tif 000006
【図６】
0005317446.tif 000007
【図７】
0005317446.tif 000008
【図８】
0005317446.tif 000009
【図９】
0005317446.tif 000010
【図１０】
0005317446.tif 000011
【図１１】
0005317446.tif 000012